(57)【要約】【課題】インターネットオークションに不慣れな利用者であっても、出品先にするオークションサイトを容易に選択できるようにすると共に、オークションで落札されなかった商品を、出品者に負担をかけることなく、別のオークションに出品できるようにする。【解決手段】オークション支援サーバ１は、各インターネットオークションサーバ3-1〜3-mによって実現されるオークションサイトから落札品の商品名、落札価格などを収集し、管理しておく。出品者用端末2-1から商品名などを含む検索条件が送られてくると、検索条件を満たす落札情報を、オークションサイト毎に区分して出品者用端末へ送信する。また、オークション支援サーバ１は、インターネットオークションサイトに出品された商品が落札されたか否かを判断し、落札されなかった場合、リサイクルショップの運営者など、特定の参加者を対象にしたオークションに上記商品を出品する。【選択図】図１
2007206992.tif 000002
【特許請求の範囲】
【請求項１】
利用者によってインターネットオークションサイトに出品された商品が落札されたか否かを判断し、落札されなかった場合、特定の参加者を対象にしたオークションに前記商品を出品するオークション支援サーバを備えたことを特徴とするオークション支援システム。
【請求項２】
請求項１記載のオークション支援システムにおいて、
前記オークション支援サーバが、
前記利用者によってインターネットオークションサイトに出品された商品が落札されたか否かを判断する落札結果確認手段と、
該落札結果確認手段で前記商品が落札されなかったと判断された場合、前記特定の参加者を対象にしたオークションに前記商品を出品するオークション手段とを備えたことを特徴とするオークション支援システム。
【請求項３】
請求項２記載のオークション支援システムにおいて、
前記オークション支援サーバが、
前記利用者が前記商品を出品したインターネットオークションサイトから前記商品の商品情報を収集する落札情報収集手段と、
オークション情報記憶部とを備え、且つ、
前記オークション手段が、前記落札情報収集手段が収集した商品情報を、前記特定の参加者を対象にしたオークションにおける前記商品に対する商品情報として前記オークション情報記憶部に登録する構成を有することを特徴とするオークション支援システム。
【請求項４】
請求項２記載のオークション支援システムにおいて、
前記オークション支援サーバが、
落札情報記憶部と、
予め定められている複数のインターネットオークションサイトから、新規に落札された商品の商品情報および落札価格を含む落札情報を収集し、収集した落札情報と収集元のインターネットオークションサイトのサイト名とを対応付けて前記落札情報記憶部に登録する落札情報収集手段と、
前記利用者によって検索条件が入力されたとき、該検索条件を満たす落札情報を前記落札情報記憶部から検索し、検索結果を前記複数のインターネットオークションサイト毎に区分して前記利用者に提示する落札情報分析手段とを含むことを特徴とするオークション支援システム。
【請求項５】
請求項１記載のオークション支援システムにおいて、
前記オークション支援サーバが、
前記商品が落札されなかった場合、予め定められている複数のインターネットオークションサイトにおける前記商品と類似する商品の落札状況を分析し、その分析結果に基づいて、前記商品を前記特定の参加者を対象にしたオークションに出品するか否かを判定する構成を有することを特徴とするオークション支援システム。
【請求項６】
請求項５記載のオークション支援システムにおいて、
前記オークション支援サーバが、
落札情報記憶部と、
予め定められている複数のインターネットオークションサイトから、新規に出品された商品の商品情報を収集し、該収集した商品情報とその収集元のインターネットオークションサイトのサイト名とを対応付けて前記落札情報記憶部に登録すると共に、前記落札情報記憶部に商品情報が登録されている商品の内の、落札された商品の落札価格を該当するインターネットオークションサイトから収集して前記商品情報に対応付けて前記落札情報記憶部に登録する落札情報収集手段と、
前記利用者によってインターネットオークションサイトに出品された商品が落札されたか否かを判断する落札結果確認手段と、
該落札結果確認手段で前記商品が落札されなかったと判断された場合、前記落札情報記憶部の内容に基づいて、前記商品と類似する商品の、前記各インターネットオークションサイト毎の落札状況を分析し、分析結果に基づいて前記商品を前記特定の参加者を対象にしたオークションに出品するか否かを判定する落札状況分析手段と、
該落札状況分析手段でオークションに出品すると判定された商品を前記特定の参加者を対象にしたオークションに出品するオークション手段とを備えたことを特徴とするオークション支援システム。
【請求項７】
請求項１乃至６の何れか１項に記載のオークション支援システムにおいて、
前記特定の参加者がリサイクルショップの運営者であることを特徴とするオークション支援システム。
【請求項８】
利用者によってインターネットオークションサイトに出品された商品が落札されたか否かを判断し、落札されなかった場合、特定の参加者を対象にしたオークションに前記商品を出品する手段を備えたことを特徴とするオークション支援サーバ。
【請求項９】
請求項８記載のオークション支援サーバにおいて、
前記利用者によってインターネットオークションサイトに出品された商品が落札されたか否かを判断する落札結果確認手段と、
該落札結果確認手段で前記商品が落札されなかったと判断された場合、前記特定の参加者を対象にしたオークションに前記商品を出品するオークション手段とを備えたことを特徴とするオークション支援サーバ。
【請求項１０】
請求項９記載のオークション支援サーバにおいて、
前記利用者が前記商品を出品したインターネットオークションサイトから前記商品の商品情報を収集する落札情報収集手段と、
オークション情報記憶部とを備え、且つ、
前記オークション手段が、前記落札情報収集手段が収集した商品情報を、前記特定の参加者を対象にしたオークションにおける前記商品に対する商品情報として前記オークション情報記憶部に登録する構成を有することを特徴とするオークション支援サーバ。
【請求項１１】
請求項９記載のオークション支援サーバにおいて、
落札情報記憶部と、
予め定められている複数のインターネットオークションサイトから、新規に落札された商品の商品情報および落札価格を含む落札情報を収集し、収集した落札情報と収集元のインターネットオークションサイトのサイト名とを対応付けて前記落札情報記憶部に登録する落札情報収集手段と、
前記利用者によって検索条件が入力されたとき、該検索条件を満たす落札情報を前記落札情報記憶部から検索し、検索結果を前記複数のインターネットオークションサイト毎に区分して前記利用者に提示する落札情報分析手段とを含むことを特徴とするオークション支援サーバ。
【請求項１２】
請求項８記載のオークション支援サーバにおいて、
前記商品が落札されなかった場合、予め定められている複数のインターネットオークションサイトにおける前記商品と類似する商品の落札状況を分析し、その分析結果に基づいて、前記商品を前記特定の参加者を対象にしたオークションに出品するか否かを判定する構成を有することを特徴とするオークション支援サーバ。
【請求項１３】
請求項１２記載のオークション支援サーバにおいて、
落札情報記憶部と、
予め定められている複数のインターネットオークションサイトから、新規に出品された商品の商品情報を収集し、該収集した商品情報とその収集元のインターネットオークションサイトのサイト名とを対応付けて前記落札情報記憶部に登録すると共に、前記落札情報記憶部に商品情報が登録されている商品の内の、落札された商品の落札価格を該当するインターネットオークションサイトから収集して前記商品情報に対応付けて前記落札情報記憶部に登録する落札情報収集手段と、
前記利用者によってインターネットオークションサイトに出品された商品が落札されたか否かを判断する落札結果確認手段と、
該落札結果確認手段で前記商品が落札されなかったと判断された場合、前記落札情報記憶部の内容に基づいて、前記商品と類似する商品の、前記各インターネットオークションサイト毎の落札状況を分析し、分析結果に基づいて前記商品を前記特定の参加者を対象にしたオークションに出品するか否かを判定する落札状況分析手段と、
該落札状況分析手段でオークションに出品すると判定された商品を前記特定の参加者を対象にしたオークションに出品するオークション手段とを備えたことを特徴とするオークション支援サーバ。
【請求項１４】
請求項８乃至１３の何れか１項に記載のオークション支援サーバにおいて、
前記特定の参加者がリサイクルショップの運営者であることを特徴とするオークション支援サーバ。
【請求項１５】
オークション支援サーバが、利用者によってインターネットオークションサイトに出品された商品が落札されたか否かを判断し、落札されなかった場合、特定の参加者を対象にしたオークションに前記商品を出品することを特徴とするオークション支援方法。
【請求項１６】
請求項１５記載のオークション支援方法において、
前記オークション支援サーバが、
予め定められている複数のインターネットオークションサイトから、新規に落札された商品の商品情報および落札価格を含む落札情報を収集し、収集した落札情報と収集元のインターネットオークションサイトのサイト名とを対応付けて落札情報記憶部に登録し、
前記利用者によって検索条件が入力されたとき、該検索条件を満たす落札情報を前記落札情報記憶部から検索し、検索結果を前記複数のインターネットオークションサイト毎に区分して前記利用者に提示することを特徴とするオークション支援方法。
【請求項１７】
請求項１５記載のオークション支援方法において、
前記オークション支援サーバが、
前記商品が落札されなかった場合、予め定められている複数のインターネットオークションサイトにおける前記商品と類似する商品の落札状況を分析し、その分析結果に基づいて、前記商品を前記特定の参加者を対象にしたオークションに出品するか否かを判定することを特徴とするオークション支援方法。
【請求項１８】
コンピュータに、
利用者によってインターネットオークションサイトに出品された商品が落札されたか否かを判断し、落札されなかった場合、特定の参加者を対象にしたオークションに前記商品を出品する処理を行わせるためのプログラム。
【請求項１９】
請求項１８記載のプログラムにおいて、
前記コンピュータに、
予め定められている複数のインターネットオークションサイトから、新規に落札された商品の商品情報および落札価格を含む落札情報を収集し、収集した落札情報と収集元のインターネットオークションサイトのサイト名とを対応付けて落札情報記憶部に登録する処理と、
前記利用者によって検索条件が入力されたとき、該検索条件を満たす落札情報を前記落札情報記憶部から検索し、検索結果を前記複数のインターネットオークションサイト毎に区分して前記利用者に提示する処理とを行わせるためのプログラム。
【請求項２０】
請求項１８記載のプログラムにおいて、
前記コンピュータに、
前記商品が落札されなかった場合、予め定められている複数のインターネットオークションサイトにおける前記商品と類似する商品の落札状況を分析し、その分析結果に基づいて、前記商品を前記特定の参加者を対象にしたオークションに出品するか否かを判定する処理を行わせるためのプログラム。
【発明の詳細な説明】
【技術分野】
【０００１】
本発明は、インターネットオークションサイトにおいて落札されなかった商品があった場合、その商品を出品者に負担をかけることなく、他のオークションに出品することが可能なオークション支援技術に関する。
【背景技術】
【０００２】
近年、インターネットの普及に伴い、インターネットオークションが盛んに利用されるようになってきている。従来の一般的なインターネットオークションにおいては、商品を出品する出品者は、国内や国外に多数存在するインターネットオークションサイトの中から商品を出品するサイトを選択し、選択したサイトに商品の商品情報を登録する。また、出品者によって商品情報が登録されたインターネットオークションサイトでは、商品情報をネットワーク上に公開し、商品の購入希望者からの購入申し込みを受け付ける。この購入申し込みには、購入希望価格が含まれており、インターネットオークションサイトでは、例えば、落札期間中に最も高い購入希望価格を付けた購入希望者を落札者とする（例えば、特許文献１、２参照）。なお、特許文献１においては、リサイクル品をオークションの対象商品とし、特許文献２においては、事故車両を修理する権利をオークションの対象商品としている。
【０００３】
【特許文献１】特開２００２−７７８８号公報
【特許文献２】特開２００２−１８９８３０号公報
【発明の開示】
【発明が解決しようとする課題】
【０００４】
ところで、インターネットオークションにおいては、出品した商品が必ず落札されるとは限られず、落札されない場合もある。このような場合、一般的な出品者は、商品の販売を諦めるか、或いは、別のインターネットオークションサイトを探し出して再度、商品情報を登録するようにしている。商品の販売を諦めた場合には、出品者は、期待していた収入を得られないことになり、別のインターネットオークションサイトを探して商品情報を再登録した場合には、落札され収入を得ることはできるかもしれないが、出品者に負担がかかるという問題がある。出品した商品が落札されなかった場合には、上記したような問題が発生するが、特許文献１、２に記載されているような従来の一般的なインターネットオークションにおいては、このような点は全く考慮されていない。
【０００５】
〔発明の目的〕
そこで、本発明の目的は、インターネットオークションに出品した商品が落札されなかった場合、出品者に負担をかけることなく、他のオークションに出品できるようにすることにある。
【課題を解決するための手段】
【０００６】
本発明にかかる第１のオークション支援システムは、
利用者によってインターネットオークションサイトに出品された商品が落札されたか否かを判断し、落札されなかった場合、特定の参加者を対象にしたオークションに前記商品を出品するオークション支援サーバを備えたことを特徴とする。
【０００７】
本発明にかかる第２のオークション支援システムは、第１のオークション支援システムにおいて、
前記オークション支援サーバが、
前記利用者によってインターネットオークションサイトに出品された商品が落札されたか否かを判断する落札結果確認手段と、
該落札結果確認手段で前記商品が落札されなかったと判断された場合、前記特定の参加者を対象にしたオークションに前記商品を出品するオークション手段とを備えたことを特徴とする。
【０００８】
本発明にかかる第３のオークション支援システムは、第２のオークション支援システムにおいて、
前記オークション支援サーバが、
前記利用者が前記商品を出品したインターネットオークションサイトから前記商品の商品情報を収集する落札情報収集手段と、
オークション情報記憶部とを備え、且つ、
前記オークション手段が、前記落札情報収集手段が収集した商品情報を、前記特定の参加者を対象にしたオークションにおける前記商品に対する商品情報として前記オークション情報記憶部に登録する構成を有することを特徴とする。
【０００９】
本発明にかかる第４のオークション支援システムは、第２のオークション支援システムにおいて、
前記オークション支援サーバが、
落札情報記憶部と、
予め定められている複数のインターネットオークションサイトから、新規に落札された商品の商品情報および落札価格を含む落札情報を収集し、収集した落札情報と収集元のインターネットオークションサイトのサイト名とを対応付けて前記落札情報記憶部に登録する落札情報収集手段と、
前記利用者によって検索条件が入力されたとき、該検索条件を満たす落札情報を前記落札情報記憶部から検索し、検索結果を前記複数のインターネットオークションサイト毎に区分して前記利用者に提示する落札情報分析手段とを含むことを特徴とする。
【００１０】
本発明にかかる第５のオークション支援システムは、第１のオークション支援システムにおいて、
前記オークション支援サーバが、
前記商品が落札されなかった場合、予め定められている複数のインターネットオークションサイトにおける前記商品と類似する商品の落札状況を分析し、その分析結果に基づいて、前記商品を前記特定の参加者を対象にしたオークションに出品するか否かを判定する構成を有することを特徴とする。
【００１１】
本発明にかかる第６のオークション支援システムは、第５ののオークション支援システムにおいて、
前記オークション支援サーバが、
落札情報記憶部と、
予め定められている複数のインターネットオークションサイトから、新規に出品された商品の商品情報を収集し、該収集した商品情報とその収集元のインターネットオークションサイトのサイト名とを対応付けて前記落札情報記憶部に登録すると共に、前記落札情報記憶部に商品情報が登録されている商品の内の、落札された商品の落札価格を該当するインターネットオークションサイトから収集して前記商品情報に対応付けて前記落札情報記憶部に登録する落札情報収集手段と、
前記利用者によってインターネットオークションサイトに出品された商品が落札されたか否かを判断する落札結果確認手段と、
該落札結果確認手段で前記商品が落札されなかったと判断された場合、前記落札情報記憶部の内容に基づいて、前記商品と類似する商品の、前記各インターネットオークションサイト毎の落札状況を分析し、分析結果に基づいて前記商品を前記特定の参加者を対象にしたオークションに出品するか否かを判定する落札状況分析手段と、
該落札状況分析手段でオークションに出品すると判定された商品を前記特定の参加者を対象にしたオークションに出品するオークション手段とを備えたことを特徴とする。
【００１２】
本発明にかかる第７のオークション支援システムは、第１〜第６の何れかのオークション支援システムにおいて、
前記特定の参加者がリサイクルショップの運営者であることを特徴とする。
【００１３】
本発明にかかる第１のオークション支援サーバは、
利用者によってインターネットオークションサイトに出品された商品が落札されたか否かを判断し、落札されなかった場合、特定の参加者を対象にしたオークションに前記商品を出品する手段を備えたことを特徴とする。
【００１４】
本発明にかかる第２のオークション支援サーバは、第１のオークション支援サーバにおいて、
前記利用者によってインターネットオークションサイトに出品された商品が落札されたか否かを判断する落札結果確認手段と、
該落札結果確認手段で前記商品が落札されなかったと判断された場合、前記特定の参加者を対象にしたオークションに前記商品を出品するオークション手段とを備えたことを特徴とする。
【００１５】
本発明にかかる第３のオークション支援サーバは、第２のオークション支援サーバにおいて、
前記利用者が前記商品を出品したインターネットオークションサイトから前記商品の商品情報を収集する落札情報収集手段と、
オークション情報記憶部とを備え、且つ、
前記オークション手段が、前記落札情報収集手段が収集した商品情報を、前記特定の参加者を対象にしたオークションにおける前記商品に対する商品情報として前記オークション情報記憶部に登録する構成を有することを特徴とする。
【００１６】
本発明にかかる第４のオークション支援サーバは、第２のオークション支援サーバにおいて、
落札情報記憶部と、
予め定められている複数のインターネットオークションサイトから、新規に落札された商品の商品情報および落札価格を含む落札情報を収集し、収集した落札情報と収集元のインターネットオークションサイトのサイト名とを対応付けて前記落札情報記憶部に登録する落札情報収集手段と、
前記利用者によって検索条件が入力されたとき、該検索条件を満たす落札情報を前記落札情報記憶部から検索し、検索結果を前記複数のインターネットオークションサイト毎に区分して前記利用者に提示する落札情報分析手段とを含むことを特徴とする。
【００１７】
本発明にかかる第５のオークション支援サーバは、第１のオークション支援サーバにおいて、
前記商品が落札されなかった場合、予め定められている複数のインターネットオークションサイトにおける前記商品と類似する商品の落札状況を分析し、その分析結果に基づいて、前記商品を前記特定の参加者を対象にしたオークションに出品するか否かを判定する構成を有することを特徴とする。
【００１８】
本発明にかかる第６のオークション支援サーバは、第５のオークション支援サーバにおいて、
落札情報記憶部と、
予め定められている複数のインターネットオークションサイトから、新規に出品された商品の商品情報を収集し、該収集した商品情報とその収集元のインターネットオークションサイトのサイト名とを対応付けて前記落札情報記憶部に登録すると共に、前記落札情報記憶部に商品情報が登録されている商品の内の、落札された商品の落札価格を該当するインターネットオークションサイトから収集して前記商品情報に対応付けて前記落札情報記憶部に登録する落札情報収集手段と、
前記利用者によってインターネットオークションサイトに出品された商品が落札されたか否かを判断する落札結果確認手段と、
該落札結果確認手段で前記商品が落札されなかったと判断された場合、前記落札情報記憶部の内容に基づいて、前記商品と類似する商品の、前記各インターネットオークションサイト毎の落札状況を分析し、分析結果に基づいて前記商品を前記特定の参加者を対象にしたオークションに出品するか否かを判定する落札状況分析手段と、
該落札状況分析手段でオークションに出品すると判定された商品を前記特定の参加者を対象にしたオークションに出品するオークション手段とを備えたことを特徴とする。
【００１９】
本発明にかかる第７のオークション支援サーバは、第１〜第６の何れかのオークション支援サーバにおいて、
前記特定の参加者がリサイクルショップの運営者であることを特徴とする。
【００２０】
本発明にかかる第１のオークション支援方法は、
オークション支援サーバが、利用者によってインターネットオークションサイトに出品された商品が落札されたか否かを判断し、落札されなかった場合、特定の参加者を対象にしたオークションに前記商品を出品することを特徴とする。
【００２１】
本発明にかかる第２のオークション支援方法は、第１のオークション支援方法において、
前記オークション支援サーバが、
予め定められている複数のインターネットオークションサイトから、新規に落札された商品の商品情報および落札価格を含む落札情報を収集し、収集した落札情報と収集元のインターネットオークションサイトのサイト名とを対応付けて落札情報記憶部に登録し、
前記利用者によって検索条件が入力されたとき、該検索条件を満たす落札情報を前記落札情報記憶部から検索し、検索結果を前記複数のインターネットオークションサイト毎に区分して前記利用者に提示することを特徴とする。
【００２２】
本発明にかかる第３のオークション支援方法は、第１のオークション支援方法において、
前記オークション支援サーバが、
前記商品が落札されなかった場合、予め定められている複数のインターネットオークションサイトにおける前記商品と類似する商品の落札状況を分析し、その分析結果に基づいて、前記商品を前記特定の参加者を対象にしたオークションに出品するか否かを判定することを特徴とする。
【００２３】
本発明にかかる第１のプログラムは、
コンピュータに、
利用者によってインターネットオークションサイトに出品された商品が落札されたか否かを判断し、落札されなかった場合、特定の参加者を対象にしたオークションに前記商品を出品する処理を行わせる。
【００２４】
本発明にかかる第２のプログラムは、第１のプログラムにおいて、
前記コンピュータに、
予め定められている複数のインターネットオークションサイトから、新規に落札された商品の商品情報および落札価格を含む落札情報を収集し、収集した落札情報と収集元のインターネットオークションサイトのサイト名とを対応付けて落札情報記憶部に登録する処理と、
前記利用者によって検索条件が入力されたとき、該検索条件を満たす落札情報を前記落札情報記憶部から検索し、検索結果を前記複数のインターネットオークションサイト毎に区分して前記利用者に提示する処理とを行わせる。
【００２５】
本発明にかかる第３のプログラムは、第１のプログラムにおいて、
前記コンピュータに、
前記商品が落札されなかった場合、予め定められている複数のインターネットオークションサイトにおける前記商品と類似する商品の落札状況を分析し、その分析結果に基づいて、前記商品を前記特定の参加者を対象にしたオークションに出品するか否かを判定する処理を行わせる。
【００２６】
〔作用〕
オークション支援サーバは、予め定められている複数のインターネットオークションサイトから、新規に落札された商品の商品情報および落札価格を含む落札情報を収集し、収集した落札情報と収集元のインターネットオークションサイトのサイト名とを対応付けて落札情報記憶部に登録しておく。そして、利用者によって出品を予定している商品の商品情報などを含む検索条件が入力されると、上記検索条件を満たす落札情報を前記落札情報記憶部から検索し、検索結果を上記複数のインターネットオークションサイト毎に区分して利用者に提示する。これにより、インターネットオークションに不慣れな利用者であっても、商品を出品するインターネットオークションサイトを容易に選択することが可能になる。
【００２７】
また、オークション支援サーバは、利用者によってインターネットオークションサイトに出品された商品が落札されたか否かを判断し、落札されなかった場合、リサイクルショップの運営者など、特定の参加者を対象にしたオークションに上記商品を出品する。ここで、オークション支援サーバが、上記商品が落札されなかった場合、予め定められている複数のインターネットオークションサイトにおける上記商品と類似する商品の落札状況を分析し、その分析結果に基づいて、上記商品を上記特定参加者を対象にしたオークションに出品するか否かを判定するようにしても良い。
【発明の効果】
【００２８】
本発明によれば、インターネットオークションサイトに出品した商品が落札されなかった場合、上記商品の出品者に負担をかけることなく、上記商品をリサイクルショップの運営者などを対象にした他のオークションに出品することが可能になるという効果を得ることができる。その理由は、利用者によってインターネットオークションサイトに出品された商品が落札されたか否かを判断し、落札されなかった場合、特定の参加者を対象にしたオークションに上記商品を出品するオークション支援サーバを備えているからである。
【発明を実施するための最良の形態】
【００２９】
次に、発明を実施するための最良の形態について図面を参照して詳細に説明する。
【００３０】
〔第１の実施の形態の構成の説明〕
図１を参照すると、本発明にかかるオークション支援システムの第１の実施の形態は、オークション支援サーバ１と、複数の出品者用端末２−１〜２−ｋと、複数のインターネットオークションサーバ３−１〜３−ｍと、複数のリサイクルショップ用端末４−ｎとから構成され、それらは、インターネット５を介して相互に接続されている。
【００３１】
出品者用端末２−１〜２−ｋは、インターネットオークションに商品を出品する利用者（出品者）が利用する端末であり、ブラウザを搭載したパーソナルコンピュータなどによって実現される。なお、上記出品者は、インターネットオークションに出品した商品が落札されなかった場合、その商品をリサイクルオークションに出品することを、オークション支援サーバ１の運営者と契約を結んでいる。リサイクルショップ用端末４−１〜４−ｎは、リサイクルオークションに参加するリサイクルショップの運営者が利用する端末であり、ブラウザを搭載したパーソナルコンピュータなどによって実現される。インターネットオークションサーバ３−１〜３−ｍは、コンピュータによって実現されるものであり、それぞれ異なるインターネットオークションサイトを実現する。なお、本実施の形態では、インターネットオークションサーバ３−１〜３−ｍによって実現されるインターネットオークションサイトには、サイト名「ＳＡ１〜ＳＡｍ」が付与されているとする。また、以下の説明では、サイト名「ＳＡ１〜ＳＡｍ」のインターネットオークションサイトを、インターネットＳＡ１〜ＳＡｍと記す場合もある。
【００３２】
オークション支援サーバ１は、コンピュータによって実現されるものであり、インターネットオークションサイトＳＡ１〜ＳＡｍに関する情報を各出品者用端末２−１〜２−ｋに提供したり、出品者用端末２−１〜２−ｋの利用者がインターネットオークションサイトの出品した商品が落札されなかった場合、その商品をリサイクルオークションに出品する機能などを有する。
【００３３】
図２は、オークション支援サーバ１の構成例を示す図であり、送受信手段１１と、落札情報収集手段１２と、落札情報分析手段１３と、落札結果確認手段１４と、リサイクル用オークション手段１５と、記憶装置１６とを備えている。記憶装置１６には、会員情報記憶部１６１と、リサイクルオークション会員情報記憶部１６２と、落札情報記憶部１６３と、リサイクルオークション参加申し込み情報記憶部１６４と、リサイクルオークション情報記憶部１６５と、購入申し込み情報記憶部１６６とが設けられている。
【００３４】
会員情報記憶部１６１には、出品者用端末２−１〜２−ｋの利用者の会員ＩＤ、パスワード、氏名、住所、メールアドレスが登録されている。図３に会員情報記憶部１６１の内容例を示す。同図の例は、会員ＩＤ「ＩＤＳ１」の利用者は、パスワードが「Ｐ１」、氏名が「ＡＡＡ」、住所が「ＢＢＢ」、メールアドレスが「ＣＣＣ」であることを示している。
【００３５】
リサイクルオークション会員情報記憶部１６２には、リサイクルショップ用端末４−１〜４−ｎの利用者の会員ＩＤ、パスワード、氏名、住所、メールアドレスが登録されており、図３に示した会員情報記憶部１６１と同様の構成を有する。
【００３６】
落札情報記憶部１６３には、インターネットオークションサイトＳＡ１〜ＳＡｍにおいて新規に出品された商品の商品情報（その商品が属する商品分類、商品名、型番を含む）、その商品を一意に識別するための管理番号、出品日、落札期限、及び商品の出品されたインターネットオークションサイトのサイト名が、落札情報収集手段１２によって登録される。また、その商品が落札された場合には、落札情報収集手段１２によって落札価格が登録される。図４は、落札情報記憶部１６３の内容例を示す図であり、同図の例は、サイト名「ＳＡｊ」のインターネットオークションサイトにおいて、Ａ月Ｂ日に、管理情報が「０００ＸＸ」、分類が「ＰＣ（パーソナルコンピュータ）」、商品名が「Ｙ」、型番が「Ｚ」、落札期限が「Ａ月Ｃ日」の商品が新規に出品されたことを示している。
【００３７】
リサイクルオークション参加申し込み情報記憶部１６４には、出品者用端末２−１〜２−ｋから送られてきたリサイクルオークション参加申し込み情報が、落札結果確認手段１４によって登録される。出品者用端末２−１〜２−ｋの利用者は、インターネットオークションサイトＳＡ１〜ＳＡｍに出品した商品が落札されなかった場合、その商品をリサイクルオークションに出品することをオークション支援サーバ１に依頼する場合、オークション支援サーバ１に対してリサイクルオークション参加申し込み情報を送信する。このリサイクルオークション参加申し込み情報には、商品を出品したインターネットオークションサイトのサイト名と、上記商品にインターネットオークションサイトで付与された管理番号と、利用者の会員ＩＤとが含まれている。図５は、リサイクルオークション参加申し込み情報記憶部１６４の内容例を示す図であり、同図の例は、インターネットオークションサイトＳＡｊに出品した管理番号「０００ＸＸ」の商品が落札されなかった場合、その商品をリサイクルオークションに出品することが、会員ＩＤ「ＩＤＳ１」に利用者から依頼されていることを示している。
【００３８】
リサイクルオークション情報記憶部１６５には、リサイクルオークションに出品する商品に関する情報（リサイクルオークション情報）が、リサイクル用オークション手段１５によって登録される。リサイクルオークション情報は、オークション支援サーバ１において上記商品を識別するために付与されたリサイクル管理番号と、商品情報と、出品日と、落札期限と、落札価格と、リサイクルオークションへの出品を依頼した利用者の会員ＩＤとを含んでいる。図６にリサイクルオークション情報記憶部１６５の内容例を示す。同図の例は、分類「ＰＣ（パーソナルコンピュータ）」、商品名「Ｙ」、型番「Ｚ」の商品が、会員ＩＤ「ＩＤＳ１」の利用者によって出品されており、管理番号、出品日、落札期限がそれぞれ「ＲＫ１」「Ｄ月Ｅ日」「Ｄ月Ｆ日」であることを示している。
【００３９】
購入申し込み情報記憶部１６６には、リサイクルオークションに出品された商品に対する購入申し込み情報が、リサイクル用オークション手段１５によって登録される。購入申し込み情報には、商品の購入を希望するリサイクルショップの運営者の会員ＩＤと、購入を希望する商品のリサイクル管理番号と、購入希望価格とが含まれる。図７に購入申し込み情報記憶部１６６の内容例を示す。同図の例は、会員ＩＤ「ＩＤＲ１」の運営者が、リサイクル管理番号「ＲＫ１」によって特定される商品を購入することを希望しており、購入希望価格が「ＸＸＸＸＸ円」であることを示している。
【００４０】
送受信手段１１は、インターネット５を介してデータを送受信する機能を有する。
【００４１】
落札情報収集手段１２は、インターネットオークションサーバ３−１〜３−ｍによって実現されているインターネットオークションサイトＳＡ１〜ＳＡｍを定期的に参照し、新規に出品された商品があれば、その商品に関する情報（管理番号、商品情報、出品日、落札期限）を収集し、収集元のサイト名と対応付けて落札情報記憶部１６３に登録する機能や、新たに落札された商品があれば、その落札価格を収集し、落札情報記憶部１６３に登録されている上記商品に関する情報に落札価格を追加する機能を有する。
【００４２】
落札情報分析手段１３は、出品者用端末２−１〜２−ｋから検索条件が送られてきたとき、検索条件を満たす情報を落札情報記憶部１６３から検索し、必要に応じて検索結果をインターネットオークションサイト毎に区分する等の編集処理や、落札価格の平均値を求める等の統計的処理を行った後、出品者用端末２−１〜２−ｋに送信する機能などを有する。
【００４３】
落札結果確認手段１４は、出品者用端末２−１〜２−ｋから送られてきたリサイクルオークション参加申し込み情報を、リサイクルオークション参加申し込み情報記憶部１６４に登録したり、リサイクルオークション参加申し込み情報によってリサイクルオークションに出品することが依頼されている商品が、インターネットオークションサイトＳＡ１〜ＳＡｊにおいて落札されなかった場合、その商品に関するリサイクルオークション情報を作成してリサイクル用オークション手段１５に渡す機能などを有する。
【００４４】
リサイクル用オークション手段１５は、落札結果確認手段１４から渡されたリサイクルオークション情報を、リサイクルオークション情報記憶部１６５に登録する機能や、リサイクルショップ用端末４−１〜４−ｎから送られてきた購入申し込み情報を、購入申し込み情報記憶部１６６に登録する機能や、購入申し込み情報記憶部１６６に登録されている購入申し込み情報に基づいて、リサイクルオークションに出品された商品の落札者を決定する機能などを有する。
【００４５】
オークション支援サーバ１は、前述したように、コンピュータによって実現可能であり、コンピュータによって実現する場合は、例えば、次のようにする。コンピュータをオークション支援サーバ１として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、送受信手段１１、落札情報収集手段１２、落札情報分析手段１３、落札結果確認手段１４、リサイクル用オークション手段１５を実現する。
【００４６】
〔第１の実施の形態の動作の説明〕
次に、本実施の形態の動作について、図面を参照して詳細に説明する。
【００４７】
先ず、落札情報収集手段１２の動作について説明する。落札情報収集手段１２は、例えば、毎日決められた時刻に１回というように、定期的に図８のフローチャートに示す処理を行う。
【００４８】
図８を参照すると、落札情報収集手段１２は、先ずインターネットオークションサーバ３−１〜３−ｍによって実現されているインターネットオークションサイトＳＡ１〜ＳＡｍの中から処理対象にするインターネットオークションサイトを１つ選択する（ステップＳ８１）。
【００４９】
次いで、落札情報収集手段１２は、処理対象にしたインターネットオークションサイトＳＡｊ（１≦ｊ≦ｍ）を参照し、新規に出品された商品があれば、その商品に関する情報（管理番号、商品情報、出品日、落札期限）を収集し、収集元のサイト名ＳＡｊと対応付けて落札情報記憶部１６３に登録する。また、新たに落札された商品があれば、その落札価格を収集し、落札情報記憶部１６３に既に登録されている上記商品に関する情報に落札価格を追加する（ステップＳ８３，Ｓ８４）。
【００５０】
その後、落札情報収集手段１２は、未選択のインターネットオークションサイトの中から、次に処理対象にするインターネットオークションサイトを選択し（ステップＳ８１）、前述した処理と同様の処理を行う（ステップＳ８３，Ｓ８４）。情報収集手段１２は、上述した処理を繰り返し行い、未選択のインターネットオークションサイトが無くなると（ステップＳ８２がＹＥＳとなると）、その処理を終了する。
【００５１】
次に、インターネットオークションに商品を出品したい利用者が、オークション支援サーバ１を利用して、商品を出品するインターネットオークションサイトを選択する場合の動作について説明する。
【００５２】
出品者用端末２−１の利用者は、商品を出品するインターネットオークションサイトを選択する場合、図９のフローチャートに示すように、オークション支援サーバ１がインターネット５上に開設しているホームページにアクセスし、サービスメニューの中から落札情報分析サービスを選択する（ステップＳ９１）。
【００５３】
これにより、オークション支援サーバ１内の落札情報分析手段１３は、認証画面を出品者用端末２−１へ送信し（ステップＳ９２）、出品者用端末２−１の利用者は、認証画面を用いて自身の会員ＩＤ及びパスワードを含む認証情報をオークション支援サーバ１へ送信する（ステップＳ９３）。落札情報分析手段１３では、出品者用端末２−１から送られてきた認証情報と、会員情報記憶部１２に登録さている会員ＩＤ及びパスワードとに基づいて認証処理を行う（ステップＳ９４）。
【００５４】
そして、認証ＮＧの場合は、エラー通知を行う。これに対して、認証ＯＫの場合は、出品者用端末２−１へ検索条件入力画面を送信する（ステップＳ９５）。この検索条件入力画面には、例えば、商品の商品名および型番の入力欄が設けられており、出品者用端末２−１の利用者は、検索条件入力画面が送られてくると、インターネットオークションに出品しようとしている商品の商品名および型番を入力欄に入力し、それらを含む検索条件をオークション支援サーバ１へ送信する（ステップＳ９６）。
【００５５】
オークション支援サーバ１内の落札情報分析手段１３は、出品者用端末２−１から送られてきた検索条件を満たし、且つ落札価格が設定されている落札情報を落札情報記憶部１６３から検索する。即ち、検索条件に含まれている商品名および型番と同一の商品名および型番が設定されている落札情報を検索する。そして、検索した落札情報に対して、例えば、検索結果をインターネットオークションサイト毎に区分けするといった編集処理や、各インターネットオークションサイト毎の落札価格の平均値を求めるといった統計処理を行った後、出品者用端末装置２−１へ送信する（ステップＳ９８）。
【００５６】
出品者用端末２−１では、オークション支援サーバ１から送られてきた検索結果を表示部に表示する（ステップＳ９９）。利用者は、表示されたインターネットオークションサイト毎の検索結果を見て商品を出品するインターネットオークションサイト（例えば、落札価格が最も高いインターネットオークションサイト）を決定し、そのインターネットオークションサイトに商品を出品する。
【００５７】
次に、出品者用端末２−１の利用者が、インターネットオークションサイト（例えば、インターネットオークションサイト３−ｊ）に出品した商品が落札されなかった場合に、上記商品をリサイクルオークションへ出品することをオークション支援サーバ１に依頼する場合の動作について説明する。
【００５８】
この場合、出品者用端末２−１の利用者は、先ず、図１０のフローチャートに示すように、オークション支援サーバ１がインターネット５上に開設しているホームページにアクセスし、サービスメニューの中からリサイクルオークション出品サービスを選択する（ステップＳ１０１）。
【００５９】
これによりオークション支援サーバ１内の落札結果確認手段１４は、出品者用端末２−１へ認証画面を送信し、この認証画面を用いて出品者用端末２−１から送られてくる認証情報を用いた認証処理を行う（ステップＳ１０２〜Ｓ１０４）。
【００６０】
そして、認証ＮＧの場合は、エラー通知を行う。これに対して、認証ＯＫの場合は、出品者用端末２−１に対してリサイクルオークション参加申し込み画面を送信する（ステップＳ１０５）。図１１は、リサイクルオークション参加申し込み画面１１０の一例を示す図であり、サイト名の入力欄１１１と、管理番号の入力欄１１２と、送信ボタン１１３とが設けられている。
【００６１】
出品者用端末２−１の利用者は、図１１に示すようなリサイクルオークション参加申し込み画面１１０が表示されると、サイト名の入力欄１１１に、落札されなかった場合にリサイクルオークションに回す商品を出品しているインターネットオークションサイトのサイト名を入力し、管理番号の入力欄１１２に上記インターネットオークションサイトにおいて、上記商品に付与されている管理番号を入力し、その後、送信ボタン１１３を操作する。これにより、出品者用端末２−１は、サイト名および管理番号を含むリサイクルオークション参加申し込み情報をオークション支援サーバ１へ送信する（ステップＳ１０６）。
【００６２】
オークション支援サーバ１内の落札結果確認手段１４は、出品者用端末２−１からリサイクルオークション参加申し込み情報が送られてくると、それに含まれているサイト名及び管理番号と、認証情報に含まれていた会員ＩＤとを対応付けてリサイクルオークション参加申し込み情報記憶部１６４に登録する（ステップＳ１０７）。その後、落札結果確認手段１４は、出品者用端末２−１に対して、リサイクルオークション参加申し込み情報を受け付けたことを示す申し込み受け付け情報を送信し（ステップＳ１０８）、出品者用端末２−１は、申し込み受け付け情報を表示部に表示する（ステップＳ１０９）。
【００６３】
また、落札結果確認手段１４は、定期的に（例えば、落札情報収集手段１２が図８のフローチャートに示す処理を終了する毎に）、図１２のフローチャートに示す処理も行っている。
【００６４】
図１２を参照すると、落札結果確認手段１４は、リサイクルオークション参加申し込み情報記憶部１６４に登録されているリサイクルオークション参加申し込み情報の１つに注目する（ステップＳ１２１）。その後、落札結果確認手段１４は、注目しているリサイクルオークション参加申し込み情報と、落札情報記憶部１６３の内容とに基づいて、上記リサイクルオークション参加申し込み中のサイト名及び管理番号によって特定される商品の落札期限が過ぎているか否かを判断する（ステップＳ１２３）。より具体的には、リサイクルオークション参加申し込み情報中のサイト名及び管理番号をキーにして落札情報記憶部１６３を検索し、検索した落札情報中の落札期限が現在日時よりも前であるか否かを調べることにより、落札期限が過ぎているか否かを判断する。
【００６５】
そして、落札期限が過ぎていないと判断した場合（ステップＳ１２３がＮＯ）は、次のリサイクルオークション参加申し込み情報に注目する（ステップＳ１２１）。これに対して、落札期限が過ぎていると判断した場合（ステップＳ１２３がＹＥＳ）は、落札情報記憶部１６３の内容に基づいて、インターネットオークションサイトにおいて既に落札されているか否かを判断する（ステップＳ１２４）。より具体的には、落札情報記憶部１６３に登録されている該当する落札情報に、落札価格が設定されているか否かを調べることにより、落札されているか否かを判断する。
【００６６】
そして、落札されていると判断した場合（ステップＳ１２４がＹＥＳ）、現在注目しているリサイクルオークション参加申し込み情報を、リサイクルオークション参加申し込み情報記憶部１６４から削除した後（ステップＳ１２７）、再び、ステップＳ１２１の処理を行う。
【００６７】
これに対して、落札されていなかった場合（ステップＳ１２４がＮＯ）は、先ず、落札情報記憶部１６３に登録されている該当する落札情報（リサイクルオークション参加申し込み情報中のサイト名，管理番号と同一のサイト名，管理番号を有する落札情報）に基づいて、図６に示すようなリサイクルオークション情報を作成し、それをリサイクル用オークション手段１５に渡す（ステップＳ１２５）。リサイクル用オークション手段１５は、落札結果確認手段１４からリサイクルオークション情報が渡されると、それをリサイクルオークション情報記憶部１６５に登録する。
【００６８】
その後、落札結果確認手段１４は、出品者用端末２−１及び各リサイクルショップ用端末４−１〜４−ｎに対してメールを送信する（ステップＳ１２６）。出品者用端末２−１へのメールには、商品をリサイクルオークションに回したことを通知するためのメッセージと、上記商品の商品情報が含まれる。また、リサイクルショップ用端末４−１〜４−ｎへのメールには、新たな商品がリサイクルオークションに出品されたことを示すメッセージと、上記商品の商品情報とが含まれる。
【００６９】
次いで、落札結果確認手段１４は、現在注目中のリサイクルオークション参加申し込み情報を削除した後（ステップＳ１２７）、再び、ステップＳ１２１の処理を行う。落札結果確認手段１４は、未注目のリサイクルオークション参加申し込み情報が無くなるまで、上記した処理を繰り返し行い、未注目のリサイクルオークション申し込み情報が無くなると（ステップＳ１２２がＹＥＳ）、その処理を終了する。
【００７０】
次に、リサイクルショップ用端末４−１の利用者が、リサイクルオークションに出品されている商品を購入する場合の動作について説明する。
【００７１】
リサイクルショップ用端末４−１の利用者は、リサイクルオークションに出品されている商品を購入する場合、先ず、オークション支援サーバ１がインターネット５上に開設しているホームページにアクセスし、サービスメニューの中からリサイクルオークション購入サービスを選択する（図１３のステップＳ１３１）。
【００７２】
これにより、オークション支援サーバ１内のリサイクル用オークション手段１５は、リサイクルショップ用端末４−１に対して認証画面を送信し、この認証画面を用いてリサイクルショップ用端末４−１から送られてくる認証情報と、リサイクルオークション会員情報記憶部１６２に登録されている会員ＩＤ及びパスワードとに基づいて認証処理を行う（ステップＳ１３２〜Ｓ１３４）。
【００７３】
そして、認証ＮＧの場合は、エラー通知を行う。これに対して、認証ＯＫの場合は、リサイクルオークション情報記憶部１６５の内容に基づいて作成した、リサイクルオークションに出品されている各商品の商品情報及びリサイクル管理番号が載っている商品画面をリサイクルショップ用端末４−１へ送信する（ステップＳ１３５）。
【００７４】
リサイクルショップ用端末４−１では、利用者がオークション支援サーバ１から送られてきた商品画面を利用して購入を希望する商品を選択すると共に、購入希望価格を入力する。これにより、リサイクルショップ用端末４−１は、利用者が選択した商品のリサイクル管理番号および利用者が入力した購入希望価格を含んだ購入申し込み情報をオークション支援サーバ１へ送信する（ステップＳ１３６）。
【００７５】
オークション支援サーバ１内のリサイクル用オークション手段１５は、リサイクルショップ用端末４−１から購入申し込み情報が送られてくると、それに含まれているリサイクル管理番号および購入希望価格と、リサイクルショップ用端末４−１の利用者の会員ＩＤとを対応付けて購入申し込み記憶部１６６に登録する（ステップＳ１３７）。その後、リサイクル用オークション手段１５は、購入申し込み情報を受け付けたことを示す購入申し込み受け付け通知をリサイクルショップ用端末４−１へ送信し（ステップＳ１３８）、リサイクルショップ用端末４−１は、購入申し込み受け付け通知を表示部に表示する（ステップＳ１３９）。
【００７６】
また、リサイクル用オークション手段１５は、定期的に（例えば、毎日１回決められた時刻に）、図１４のフローチャートに示す処理を行っている。
【００７７】
図１４を参照すると、リサイクル用オークション手段１５は、リサイクルオークション情報記憶部１６５に登録されているリサイクルオークション情報の１つに注目し（ステップＳ１４１）、落札期限になっているか否かを判断する（ステップＳ１４３）。
【００７８】
そして、落札期限になっていない場合（ステップＳ１４３がＮＯ）は、次のリサイクルオークション情報に注目する（ステップＳ１４１）。これに対して、落札期限になっている場合（ステップＳ１４３がＹＥＳ）は、現在注目しているリサイクルオークション情報中のリサイクル管理番号によって特定される商品の落札者を決定する（ステップＳ１４４）。より具体的には、購入申し込み情報記憶部１６６から上記リサイクル管理番号を含む全ての購入申し込み情報を検索し、その中で最も購入希望価格の高い者を落札者とする。
【００７９】
その後、リサイクル用オークション手段１５は、落札者に対して落札した商品のリサイクル管理番号及び商品情報と、上記商品を落札した旨のメッセージとを含むメールを送信し、上記商品の出品者に対して上記商品の商品情報及びリサイクル管理番号と、上記商品が落札された旨のメッセージとを含むメールを送信する（ステップＳ１４５）。
【００８０】
その後、リサイクル用オークション手段１５は、現在注目しているリサイクルオークション情報に落札価格を設定し（ステップＳ１４６）、更に、購入申し込み情報記憶部１６６に登録されている購入申し込み情報の内の、上記リサイクルオークション情報に含まれているリサイクル管理番号と同一のリサイクル管理番号を含んでいる購入申し込み情報を全て削除する（ステップＳ１４７）。その後、リサイクル用オークション手段１５は、ステップＳ１４１の処理を行う。リサイクル用オークション手段１５は、未注目のリサイクルオークション情報が無くなるまで、上記した処理を繰り返し行い、未注目のリサイクルオークション情報が無くなると（ステップＳ１４２がＹＥＳとなると）、その処理を終了する。
【００８１】
〔第１の実施の形態の効果〕
本実施の形態によれば、インターネットオークションサイトＳＡ１〜ＳＡｍに出品した商品が落札されなかった場合、上記商品の出品者に負担をかけることなく、上記商品をリサイクルショップの運営者を対象にしたリサイクルオークションに出品することが可能になるという効果を得ることができる。その理由は、利用者によってインターネットオークションサイトＳＡ１〜ＳＡｍに出品された商品が落札されたか否かを判断し、落札されなかった場合、リサイクルオークションに上記商品を出品するオークション支援サーバ１を備えているからである。
【００８２】
また、本実施の形態によれば、インターネットオークションに不慣れな利用者であっても、商品を出品するインターネットオークションサイトを容易に選択することが可能になるという効果を得ることができる。その理由は、予め定められている複数のインターネットオークションサイトＳＡ１〜ＳＡｍから、新規に落札された商品の商品情報および落札価格を含む落札情報を収集し、収集した落札情報と収集元のインターネットオークションサイトのサイト名とを対応付けて落札情報記憶部１６３に登録し、利用者によって検索条件が入力されたとき、検索条件を満たす落札情報を前記落札情報記憶部１６３から検索し、検索結果を上記複数のインターネットオークションサイト毎に区分して利用者に提示するオークション支援サーバ１を備えているからである。
【００８３】
〔第２の実施の形態〕
次に、本発明にかかるオークション支援システムの第２の実施の形態について説明する。本実施の形態は、インターネットオークションサイトにおいて商品が落札されなかった場合、各インターネットオークションサイトＳＡ１〜ＳＡｍにおける上記商品と類似する商品の落札状況を分析し、その分析結果に基づいて、上記商品をリサイクルオークションに出品するか否かを判定するようにしたことを特徴とする。
【００８４】
〔第２の実施の形態の構成の説明〕
本実施の形態は、図２に示したオークション支援サーバ１の代わりに、図１５に示すオークション支援サーバ１ａを用いることにより実現される。オークション支援サーバ１との相違点は、落札状況分析手段１７が追加されている点、及び落札結果確認手段１４の代わりに落札結果確認手段１４ａを備えている点である。
【００８５】
落札結果確認手段１４ａは、リサイクルオークション参加申し込み情報によってリサイクルオークションに出品することが依頼されている商品が、インターネットオークションサイトＳＡ１〜ＳＡｊにおいて落札されなかった場合、上記商品に関するリサイクルオークション情報および上記商品の出品者の会員ＩＤを落札状況分析手段１７に渡す点が図２の落札結果確認手段１４と相違している。
【００８６】
落札状況分析手段１７は、落札結果確認手段１４ａから渡されたリサイクルオークション情報中の商品情報によって示される商品と分類が同じ商品（類似商品）の、各インターネットオークションサイトＳＡ１〜ＳＡｍ毎の落札状況を分析し、分析結果に基づいて上記商品をリサイクルオークションに出品するか否かを判定する機能を有している。
【００８７】
本実施の形態のオークション支援サーバ１ａもコンピュータによって実現可能であり、コンピュータによって実現する場合は、例えば、次のようにする。コンピュータをオークション支援サーバ１ａとして機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、落札情報収集手段１２、落札情報分析手段１３、落札結果確認手段１４ａ、リサイクル用オークション手段１５および落札状況分析手段１７を実現する。
【００８８】
〔第２の実施の形態の動作の説明〕
次に本実施の形態の動作について説明する。なお、落札結果確認手段１４ａおよび落札状況分析手段１７以外の動作は、第１の実施の形態と同様であるので、ここでは、落札結果確認手段１４ａおよび落札状況分析手段１７の動作についてのみ説明する。
【００８９】
図１６を参照すると、落札結果確認手段１４ａは、リサイクルオークション参加申し込み情報記憶部１６４に登録されているリサイクルオークション参加申し込み情報の１つに注目する（ステップＳ１６１）。その後、落札結果確認手段１４ａは、注目しているリサイクルオークション参加申し込み情報と、落札情報記憶部１６３の内容とに基づいて、上記リサイクルオークション参加申し込み情報中のサイト名及び管理番号によって特定される商品の落札期限が過ぎているか否かを判断する（ステップＳ１６３）。
【００９０】
そして、落札期限が過ぎていないと判断した場合（ステップＳ１６３がＮＯ）は、次のリサイクルオークション参加申し込み情報に注目する（ステップＳ１６１）。これに対して、落札期限が過ぎていると判断した場合（ステップＳ１６３がＹＥＳ）は、落札情報記憶部１６３の内容に基づいてインターネットオークションサイトにおいて該当商品が既に落札されているか否かを判断する（ステップＳ１６４）。
【００９１】
そして、落札されている場合（ステップＳ１６４がＹＥＳ）、現在注目しているリサイクルオークション参加申し込み情報を、リサイクルオークション参加申し込み情報記憶部１６４から削除した後（ステップＳ１６６）、再び、ステップＳ１６１の処理を行う。
【００９２】
これに対して、落札されていなかった場合（ステップＳ１６４がＮＯ）は、先ず、落札情報記憶部１６３に登録されている該当する落札情報に基づいて、図６に示すようなリサイクルオークション情報を作成し、このリサイクルオークション情報と、リサイクルオークション参加申し込み中の会員ＩＤとを落札状況分析手段１７に渡し（ステップＳ１６５）、更に、現在注目中のリサイクルオークション参加申し込み情報を削除し（ステップＳ１６６）、その後、ステップＳ１６１の処理を行う。落札結果確認手段１４は、未注目のリサイクルオークション参加申し込み情報が無くなるまで、上記した処理を繰り返し行い、未注目のリサイクルオークション申し込み情報が無くなると（ステップＳ１６２がＹＥＳ）、その処理を終了する。
【００９３】
次に、落札状況分析手段１７の動作を説明する。落札状況分析手段１７は、落札結果確認手段１４ａからリサイクルオークション情報および出品者の会員ＩＤが渡される毎に、図１７のフローチャートに示す処理を行う。
【００９４】
落札状況分析手段１７は、落札結果確認手段１４ａからリサイクルオークション情報および出品者の会員ＩＤが渡されると、落札情報記憶部１６３を参照し、上記出品者が出品している商品と類似する商品（商品情報中の分類情報が同じ商品）の落札状況を、各インターネットオークションサイトＳＡ１〜ＳＡｍ毎に分析する（ステップＳ１７１）。より具体的には、類似商品の過去一定期間における、落札率を各インターネットオークションサイトＳＡ１〜ＳＡｍ毎に求める。
【００９５】
その後、落札状況分析手段１７は、ステップＳ１７１の分析結果に基づいて、上記商品をリサイクルオークションに出品するか否かを判断する（ステップＳ１７２）。例えば、会員が商品を出品したインターネットオークションサイトよりも落札率の高いインターネットオークションサイトが存在するか否かを調べ、存在しない場合は、リサイクルオークションに出品し、存在する場合はリサイクルオークションに出品しないと判断する。
【００９６】
そして、リサイクルオークションに出品しないと判断した場合（ステップＳ１７２がＮＯ）は、出品者に対してステップＳ１７１の分析結果をメールにより通知する（ステップＳ１７３）。出品者は、この通知を見て、例えば、最も落札率の高いインターネットオークションサイトに商品を出品する。
【００９７】
これに対して、リサイクルオークションに出品すると判断した場合（ステップＳ１７２がＹＥＳ）は、落札状況分析手段１７は、落札結果確認手段１４ａから渡されているリサイクルオークション情報をリサイクル用オークション手段１５に渡す（ステップＳ１７４）。これにより、リサイクル用オークション手段１５は、リサイクルオークション情報記憶部１６５に、上記リサイクルオークション情報を登録する。その後、落札状況分析手段１７は、該当する出品者用端末及びリサイクルショップ用端末４−１〜４−ｎに、上記商品がリサイクルオークションに出品されたことを示すメールを送信し（ステップＳ１７５）、その処理を終了する。
【００９８】
〔第２の実施の形態の効果〕
本実施の形態によれば、第１の実施の形態が有している効果に加え、利用者がインターネットオークションサイトＳＡ１〜ＳＡｍに出品した商品が落札されなかった場合、上記商品と類似する商品の各インターネットオークションサイトＳＡ１〜ＳＡｍの落札状況に応じて、上記商品をリサイクルオークションに出品するか否かを決定することができるという効果を得ることができる。その理由は、インターネットオークションサイトＳＡ１〜ＳＡｍに出品した商品が落札されなかった場合、予め定められている複数のインターネットオークションサイトＳＡ１〜ＳＡｍにおける上記商品と類似する商品の落札状況を分析し、その分析結果に基づいて、上記商品をリサイクルオークションに出品するか否かを判定するオークション支援サーバ１を備えているからである。
【産業上の利用可能性】
【００９９】
本発明によれば、インターネットオークションにおいて落札されなかった商品を別のオークションに出品する用途などに適用できる。
【図面の簡単な説明】
【０１００】
【図１】本発明にかかるオークション支援システムの全体構成例を示すブロック図である。
【図２】オークション支援サーバ１の構成例を示す図である。
【図３】会員情報記憶部１６１の内容例を示す図である。
【図４】落札情報記憶部１６３の内容例を示す図である。
【図５】リサイクルオークション参加申し込み情報記憶部１６４の内容例を示す図である。
【図６】リサイクルオークション情報記憶部１６５の内容例を示す図である。
【図７】購入申し込み情報記憶部１６６の内容例を示す図である。
【図８】落札情報収集手段１２の処理例を示すフローチャートである。
【図９】落札情報分析手段１３の処理例を示すフローチャートである。
【図１０】落札結果確認手段１４の処理例を示すフローチャートである。
【図１１】リサイクルオークション参加申し込み画面１１０の一例を示す図である。
【図１２】落札結果確認手段１４の処理例を示すフローチャートである。
【図１３】リサイクル用オークション手段１５の処理例を示すフローチャートである。
【図１４】リサイクル用オークション手段１５の処理例を示すフローチャートである。
【図１５】オークション支援サーバ１ａの構成例を示すブロック図である。
【図１６】落札結果確認手段１４ａの処理例を示すフローチャートである。
【図１７】落札状況分析手段１７の処理例を示すフローチャートである。
【符号の説明】
【０１０１】
１，１ａ…オークション支援サーバ
１１…送受信手段
１２…落札情報収集手段
１３…落札情報分析手段
１４，１４ａ…落札結果確認手段
１５…リサイクル用オークション手段
１６…記憶装置
１７…落札状況分析手段
２−１〜２−ｋ…出品者用端末
３−１〜３−ｍ…インターネットオークションサーバ
４−１〜４−ｎ…リサイクルショップ用端末
５…インターネット
【図１】
2007206992.tif 000003
【図２】
2007206992.tif 000004
【図３】
2007206992.tif 000005
【図４】
2007206992.tif 000006
【図５】
2007206992.tif 000007
【図６】
2007206992.tif 000008
【図７】
2007206992.tif 000009
【図８】
2007206992.tif 000010
【図９】
2007206992.tif 000011
【図１０】
2007206992.tif 000012
【図１１】
2007206992.tif 000013
【図１２】
2007206992.tif 000014
【図１３】
2007206992.tif 000015
【図１４】
2007206992.tif 000016
【図１５】
2007206992.tif 000017
【図１６】
2007206992.tif 000018
【図１７】
2007206992.tif 000019